(57)【要約】【課題】  グローブ保持手段３１を装着しないと物品処理手段を作動させることができず、拭き取り試験などが煩雑となっていた。【解決手段】  無菌チャンバ２Ｂ内に物品に所要の処理を施す物品処理手段としてのフィラ４が設けられている。上記無菌チャンバ２Ｂに設けたグローブ２５は、通常はグローブ保持手段３１によってフィラ４の作動に干渉しない退避位置に保持されている。グローブを使用する際にはグローブ保持手段３１が取り外され、そのことがセンサ４３によって検出されると制御手段２１はフィラ４の動作を禁止する。上記無菌チャンバ２Ｂ内に、グローブ２５がフィラ４の作動に干渉しない状態で操作可能な作動ボタン４５が設けられており、グローブによって作動ボタンが操作された状態では、上記制御手段は上記グローブ保持手段が装着されていない状態が検出されていてもフィラ４の動作を許可する。【選択図】  図２
2020142832.tif 000002
【特許請求の範囲】
【請求項１】
無菌チャンバ内に設けられて物品に所要の処理を施す物品処理手段と、上記無菌チャンバに、該無菌チャンバの外部から上記物品処理手段に接触するために設けられたグローブと、該グローブを上記物品処理手段の作動に干渉しない退避位置に保持する着脱自在なグローブ保持手段と、上記グローブ保持手段の着脱を検出する検出手段と、上記検出手段により上記グローブ保持手段が装着されていないことが検出された状態では上記物品処理手段の動作を禁止する制御手段とを備えた物品処理装置において、
上記無菌チャンバ内に、上記グローブが上記物品処理手段の作動に干渉しない状態で操作可能な作動ボタンを設け、上記グローブによって上記作動ボタンが操作された状態では、上記制御手段は上記グローブ保持手段が装着されていない状態が検出されていても上記物品処理手段の動作を許可することを特徴とする物品処理装置。
【請求項２】
上記グローブは右手用グローブと左手用グローブとを備え、また上記作動ボタンは右手用作動ボタンと左手用作動ボタンとを備えており、右手用作動ボタンと左手用作動ボタンは上記右手用グローブまたは上記左手用グローブのみでは同時に操作できない位置に配置され、かつ上記制御手段は両作動ボタンが同時に操作された際に、上記物品処理手段の動作を許可することを特徴とする請求項１に記載の物品処理装置。
【請求項３】
上記制御手段は、上記グローブによって上記作動ボタンが操作された際には、上記物品処理手段を予め定めた所定の運転速度で動作させることを特徴とする請求項１又は請求項２に記載の物品処理装置。
【発明の詳細な説明】
【技術分野】
【０００１】
本発明は物品処理装置に関し、より詳しくは、無菌チャンバ内に設けられて物品に所要の処理を施す物品処理手段を備えた物品処理装置に関する。
【背景技術】
【０００２】
従来、この種の物品処理装置として、例えば回転式無菌充填装置が知られている（特許文献１）。
上記回転式無菌充填装置は、無菌チャンバ内に設けられて物品としての容器に充填液を充填する回転式フィラを備えており、上記回転式フィラによって無菌状態で容器内に充填液を充填することができるようになっている。
また上記回転式無菌充填装置は、上記無菌チャンバに、該無菌チャンバの外部から上記回転式フィラに接触するためのグローブが設けられており、例えば容器の搬送異常が生じた際には、操作者は無菌チャンバの外部から上記グローブ内に手を挿入することにより、無菌チャンバの外部から上記異常を解消することができるようになっている。
【０００３】
上記特許文献１の回転式無菌充填装置においては、さらに上記グローブ内に挿入されて該グローブを上記回転式フィラの作動に干渉しない退避位置に保持する着脱自在なグローブ保持手段と、上記グローブ保持手段の着脱を検出する検出手段と、上記検出手段により上記グローブ保持手段が装着されていないことが検出された状態では上記回転式フィラの動作を禁止する制御手段とを備えており、上記グローブが回転式フィラに干渉して該回転式フィラの作動を阻害することを防止できるようにしてある。
【先行技術文献】
【特許文献】
【０００４】
【特許文献１】特許第５９１６４７２号公報
【発明の概要】
【発明が解決しようとする課題】
【０００５】
上記回転式無菌充填装置においては、無菌性確認のため生産途中で機械表面の拭き取り検査が行われており、その際には上記グローブが用いられる。上記機械表面の拭き取り検査には多数の充填ノズルのそれぞれについて拭き取り検査が必要となり、上記グローブで全ての充填ノズルの拭き取り検査を行う際には、回転式フィラを所定角度毎に回転させて順次１又は複数の充填ノズルを上記グローブに対面させて停止させて拭き取り検査を行う必要がある。
より具体的には、例えば充填ノズルが３０本あり、上記グローブで３本の連続した充填ノズルの拭き取り検査が行える場合には、回転式フィラを間欠的に運転して順次３本の充填ノズルがグローブに近接した位置となるように停止させることを９回繰り返す必要がある。この場合、その都度、グローブ保持手段を取り外してグローブ内に腕を挿入して３本の充填ノズルの拭き取り検査を行ったら、腕をグローブから引き抜いてグローブ保持手段を装着して回転式フィラの運転が可能な状態とし、次に回転式フィラを起動して次の新たな３本の充填ノズルがグローブに近接した位置となったら回転式フィラを停止させ、さらにグローブ保持手段を取り外してグローブ内に腕を挿入して新たな３本の充填ノズルの拭き取り検査を行うことになる。
このような作業を９回繰り返すのは煩雑な作業となり、また長時間の作業となる。
本発明はそのような事情に鑑み、グローブを用いた作業を安全に、かつ短時間で容易に行えるようにした物品処理装置を提供するものである。
【課題を解決するための手段】
【０００６】
請求項１の発明は、
無菌チャンバ内に設けられて物品に所要の処理を施す物品処理手段と、上記無菌チャンバに、該無菌チャンバの外部から上記物品処理手段に接触するために設けられたグローブと、該グローブを上記物品処理手段の作動に干渉しない退避位置に保持する着脱自在なグローブ保持手段と、上記グローブ保持手段の着脱を検出する検出手段と、上記検出手段により上記グローブ保持手段が装着されていないことが検出された状態では上記物品処理手段の動作を禁止する制御手段とを備えた物品処理装置において、
上記無菌チャンバ内に、上記グローブが上記物品処理手段の作動に干渉しない状態で操作可能な作動ボタンを設け、上記グローブによって上記作動ボタンが操作された状態では、上記制御手段は上記グローブ保持手段が装着されていない状態が検出されていても上記物品処理手段の動作を許可することを特徴とするものである。
また請求項３の発明においては、上記制御手段は、上記グローブによって上記作動ボタンが操作された際には、上記物品処理手段を予め定めた所定の運転速度で動作させることを特徴とするものである。
【発明の効果】
【０００７】
請求項１の発明によれば、上記グローブによって上記作動ボタンが操作された際には、上記検出手段により上記グローブ保持手段が装着されていないことが検出されている状態であるにも拘らず、物品処理手段を動作させることが可能となる。したがって上述した例では、例えば作業員によって物品処理手段としての回転式フィラを運転することにより新たな３本の充填ノズルをグローブに近接した位置に移動させることができ、この際には上記グローブは回転式フィラの作動に干渉しない状態となっているので、安全に回転式フィラを運転させることができる。
そしてその後、直ちに新たな３本の充填ノズルについて拭き取り検査を行うことができるので、従来に比較して短時間でかつ容易に拭き取り検査など必要な作業を行うことができる。
また請求項３の発明においては、上記制御手段は、上記グローブによって作動ボタンが操作された際には、上記物品処理手段を予め定めた所定の運転速度で動作させることができるので、グローブから腕を引き抜くことなく物品処理手段の運転と停止とを実行することができる。
【図面の簡単な説明】
【０００８】
【図１】本発明の実施例を示す無菌充填システム１の平面図
【図２】第４無菌チャンバの断面図
【図３】図２の左側面図
【図４】図２のＩＶ―ＩＶ線に沿う断面図
【発明を実施するための形態】
【０００９】
以下図示実施例について本発明を説明すると、図１において、無菌充填システム１は第１〜第４無菌チャンバ２Ａ〜２Ｄを備えており、第１無菌チャンバ２Ａ内には回転式リンサ３が、第２無菌チャンバ２Ｂ内にはフィラ４が、第３無菌チャンバ２Ｃ内にはキャッパ５がそれぞれ設けられている。
物品としての容器Ｂ（図２参照）は外部から第１無菌チャンバ２Ａ内に導入され、図示しない受渡ホイールを介して第１無菌チャンバ２Ａ内のリンサ３に受け渡される。リンサ３によって洗浄された容器は受渡ホイール１１を介して第２無菌チャンバ２Ｂ内のフィラ４に受け渡され、該フィラ４によって充填液が充填される。
上記フィラ４によって充填液が充填された容器は受渡ホイール１２を介して第３無菌チャンバ２Ｃ内のキャッパ５に受け渡され、さらにキャッパ５によってキャッピングが施された容器は受渡ホイール１３を介して排出コンベヤ１４に受け渡され、該排出コンベヤ１４により第４無菌チャンバ２Ｄを介して外部に搬出される。
上記無菌充填システム１を構成するリンサ３、フィラ４、キャッパ５等は、制御手段２１によって制御されるようになっている。
【００１０】
本実施例では上記リンサ３、フィラ４、キャッパ５のそれぞれが、無菌チャンバ２Ａ〜２Ｃ内に設けられて物品に所要の処理を施す物品処理手段を構成しており、各無菌チャンバ２Ａ〜２Ｃのそれぞれに、外部から各物品処理手段に接触して拭き取り検査やメンテナンスを行うためのグローブ２５（図２参照）を設けたハッチ２６が設けられている。
図２、図３に示すように、上記各ハッチ２６は方形状（図３参照）となっており、各無菌チャンバの側壁面に取り付けられて各無菌チャンバを密封している。各ハッチ２６にはその上部に無菌チャンバ内を覗き込むための窓２７が設けられており、各窓２７の下方に左右一対の上記グローブ２５が設けられている。上記左右一対のグローブ２５は、図２に示す例ではフィラ４を構成する回転体４Ａの外周部に等間隔で設けられた充填バルブ４Ｂに接触して拭き取り検査やメンテナンスを行うことができるようになっている。
上記各グローブ２５の基部は、上記ハッチ２６の所要位置に外側に向かって突出させて設けた円筒状の差し込み孔２６ａの内周面にそれぞれ固定してある。
【００１１】
上記グローブ２５は検査時やメンテナンス時にはフィラ４に接触できなくてはならないが、他方、フィラ４の運転中には該フィラ４に接触することのない位置に保持しておく必要がある。
そのために無菌チャンバ２Ｂの外部から上記各グローブ２５内に挿入されて各グローブ２５をフィラ４の作動に干渉しない退避位置に保持するグローブ保持手段３１を設けてある。
上記グローブ保持手段３１は、図示実施例では水平方向に伸びる固定バー３２を備えており、該固定バー３２の両端部は、ハッチ２６の両側に設けた固定台３８の表面に当接させることができるようにしてある。
各固定台３８の表面にはそれぞれ２本の固定ピン３９を立設してあり、図示しないが各固定ピン３９の頭部は大径に形成してある。他方、固定バー３２の両端部には固定ピン３９の頭部を貫通させることができる大径孔３２ａを穿設してあり、該大径孔３２ａに連設させてこれと平行に、上記固定ピン３９の頭部を貫通させることができない径を有する小径孔３２ｂを形成してある。
上記固定ピン３９の頭部は大径孔３２ａを貫通した位置に形成してあり、大径孔３２ａに固定ピン３９の頭部を貫通させた状態で固定バー３２を下ろして、固定ピン３９の軸部を大径孔３２ａから小径孔３２ｂに移動させることにより、固定バー３２を固定ピン３９の頭部によって該固定ピン３９から引き抜くことができないようにしてある。これに対して、固定バー３２を押し上げて固定ピン３９の軸部を小径孔３２ｂから大径孔３２ａに移動させることにより、固定バー３２を固定ピン３９から引き抜くことができるようになる。
【００１２】
上記固定バー３２の無菌チャンバ２Ｂ側となる面には左右一対の十字型をした支持プレート３３を固定してあり、各支持プレート３３にコ字形をした取っ手３４をそれぞれ固定してある。したがって両取っ手３４を把持することにより、上記固定バー３２をハッチ２６に脱着させることができる。
上記各取っ手３４の先端部は各支持プレート３３を貫通させてあり、その先端部に上記差し込み孔２６ａ内に挿入されるプレート３５をそれぞれ取り付け、かつ各プレート３５に上記各グローブ２５内に挿入されるグローブ保持部材３６を取り付けてある。
上記各グローブ保持部材３６はＬ字状に斜め上方に屈曲させてあり、それによってグローブ２５を無菌チャンバ２Ｂ内において斜め上方に向くように保持して、グローブ２５がフィラ４の作動に干渉することが無い退避位置に保持することができるようにしてある。
上記各グローブ保持部材３６の先端部は球状部３６ａとしてあり、該球状部３６ａによってグローブ保持部材３６をグローブ２５内に挿入する際にグローブを損傷することが無いように配慮してある。
また上記固定バー３２をハッチ２６に取り付けた際には、十字型をした各支持プレート３３の下端部に形成した凹部３３ａをハッチ２６に設けた掛止ピン４０に係合させて、グローブ保持手段３１を安定した状態でハッチ２６に取り付けることができるようにしてある。
【００１３】
上記固定バー３２の一方の端部に被検出片４２を取り付けるとともに、該固定バー３２をハッチ２６に取り付けた際に、上記被検出片４２に対向するようにセンサ４３をハッチ２６に取り付けてある。上記センサ４３は、被検出片４２が該センサ４３に近接した位置にあるか否かを検出するもので、本実施例ではセンサ４３と被検出片４２とで、上記グローブ保持手段３１の着脱を検出する検出手段を構成している。検出手段としては図示実施例のものに限定されるものではなく、グローブ保持手段３１の着脱を検出することができれば、如何なる構成のものであってもよい。
上記センサ４３からの信号は上記制御手段２１に入力され、該制御手段２１はグローブ保持手段３１が装着されていないことが検出された状態では無菌充填システム１の全体の運転を、したがって上記リンサ３、フィラ４、キャッパ５の運転を禁止するようになっている。
【００１４】
さらに上記ハッチ２６には、上記グローブ２５によって操作可能な作動ボタン４５を設けてある。図示実施例では、作動ボタン４５は左右のグローブ２５を設けた位置よりも下方位置の左右に２つ設けてあり、各作動ボタン４５は図２、図４に示すように、無菌チャンバ２Ｂの外側に設けてある。
各作動ボタン４５の可動片４５ａはハッチ２６に設けた左右２つの貫通孔２６ｂに臨んでおり、各貫通孔２６ｂは弾性シール材４６によって閉鎖されている。上記無菌チャンバ２Ｂ内は弾性シール材４６によって密封されて無菌状態が維持され、また各作動ボタン４５の可動片４５ａは弾性シール材４６を介して、グローブ２５によって押し下げられて作動されるようになっている。
上記左側の左手用作動ボタン４５は左手用グローブ２５によって、また右側の右手用作動ボタン４５は右手グローブ２５によってそれぞれ押し下げることができるようにしてある。このとき、左右の作動ボタン４５は、一方のグローブ２５によっては同時に押し下げることができないように相互に離隔して配置してあり、かつ各グローブ２５によって各作動ボタン４５を押し下げた状態では、各グローブ２５はフィラ４の作動に干渉することがない退避位置の状態となるようにしてある。
【００１５】
上記各作動ボタン４５の信号は上記制御手段２１に入力されるようになっており、該制御手段２１は、両方の作動ボタン４５の信号が同時に入力された際には、つまり上記左右のグローブ２５によって左右の作動ボタン４５が同時に操作された際には、上記センサ４３によってグローブ保持手段３１が装着されていない状態が検出されていても上記フィラ４の動作を許可するようになっている。
そして本実施例では、制御手段２１は予め左右の作動ボタン４５が同時に操作されたら無菌充填システム１を低速度で、したがってフィラ４を低速度で運転するように設定されている。
なお、上記説明は第２無菌チャンバ２Ｂに設けたグローブ保持手段３１について説明したものであるが、その他の無菌チャンバ２Ａ、２Ｃに設けたグローブ保持手段についても上述したのと同様に構成してある。
【００１６】
以上の構成において、上記無菌チャンバ２Ａ〜２Ｃの全てにグローブ保持手段３１が装着されている状態では、制御手段２１は無菌充填システム１を運転することが可能な状態となっている。
これに対して、例えばフィラ４の充填バルブ４Ｂについて拭き取り検査が必要となった際には、該フィラ４を収納する無菌チャンバ２Ｂからグローブ保持手段３１が取り外されることになる。この状態では、制御手段２１は、センサ４３によって無菌チャンバ２Ｂからグローブ保持手段３１が取り外されたことが検出できるので、無菌充填システム１の運転を禁止することになる。
【００１７】
上記無菌チャンバ２Ｂからグローブ保持手段３１を取り外したら、左右のグローブ２５内に作業員の腕が挿入されて、左右のグローブ２５によって複数本の充填バルブ４Ｂについて拭き取り検査を行うことができる。そして上記複数本の充填バルブ４Ｂについての拭き取り検査が終了したら、従来は、左右のグローブ２５から作業員の腕を引き抜いてからグローブ２５内にグローブ保持部材３６を挿入してグローブ保持手段３１を無菌チャンバ２Ｂに固定する。この状態となると上記無菌チャンバ２Ａ〜２Ｃの全てにグローブ保持手段３１が装着されている状態となるので、制御手段２１は無菌充填システム１を運転することが可能な状態とする。
これにより、制御手段２１に運転指令を与えて拭き取り検査を行っていない充填バルブ４Ｂをグローブ２５に近接させることができ、当該拭き取り検査を行っていない充填バルブ４Ｂがグローブ２５に近接したらフィラ４の運転を停止させる。これにより拭き取り検査を行っていない充填バルブ４Ｂについて、上述したのと同様にして拭き取り検査を行うことが可能となる。
このように従来装置においては、拭き取り検査を行っていない充填バルブ４Ｂをグローブ２５に近接させる際にはグローブ保持手段３１の着脱を必要としていたので、その作業が煩雑で長時間を要することになる。
【００１８】
これに対し本実施例においては、上記複数本の充填バルブ４Ｂについての拭き取り検査が終了したら、作業員は左右のグローブ２５によって左右の作動ボタン４５を同時に操作すればよい。これにより制御手段２１は上記フィラ４を低速度で運転させるので、拭き取り検査を行っていない充填バルブ４Ｂがグローブ２５に近接したら少なくとも一方の作動ボタン４５の操作を解除すれば、制御手段２１は直ちにフィラ４の運転を停止させることになる。
このように、本実施例においてはグローブ２５に腕を挿入した状態のまま、作動ボタン４５の操作によってフィラ４の運転と停止とを制御することができるので、従来に比較して速やかに拭き取り検査を行うことができる。
他のリンサ３およびキャッパ５についても、上記実施例と同様に、拭き取り検査やメンテナンスを容易かつ迅速に行うことができることは明らかである。
【００１９】
なお、上記実施例では作動ボタン４５が操作された際には、予め制御手段２１にフィラ４を低速度で運転することをプログラムしているが、これに限定されるわけではない。例えば必要な作業の都度、制御手段２１に当該必要な動作を指示してから作動ボタン４５を操作して当該作動を行わせるようにすることも可能である。この場合であっても、制御手段２１による装置の運転のためにグローブ保持手段３１を取り付ける必要がないので、作業を容易なものとすることができる。
また上記グローブ保持手段３１としても上述した実施例に限定されるものではなく、グローブ２５を物品処理手段の作動に干渉しない退避位置に保持することができれば、如何なる構成のものであってもよい。例えばグローブ保持手段３１の装着状態では、グローブ２５を無菌チャンバ２Ａから引出した状態で、該グローブ２５が差し込み孔２６ａから無菌チャンバ２Ａ内に進入してしまうことが無いように、差し込み孔２６ａを閉鎖することができるようにした構成のものであってもよい。
【符号の説明】
【００２０】
１  無菌充填システム              ２Ａ〜２Ｄ  無菌チャンバ
３  リンサ                        ４  フィラ
５  キャッパ                      ２１  制御手段
２５  グローブ                    ３１  グローブ保持手段
３６  グローブ保持部材            ４３  センサ
４５  作動ボタン
【図１】
2020142832.tif 000003
【図２】
2020142832.tif 000004
【図３】
2020142832.tif 000005
【図４】
2020142832.tif 000006